(57)【要約】【課題】整流板周辺のお手入れ性を向上したレンジフードを提供することを目的とする。【解決手段】汚染された空気を吸込む吸込口２を有するフード本体１と、フード本体１の内部に設けられ、吸込口２から吸込まれた空気を排気する排気装置３と、フード本体１に取り付けられる整流板４とを備えたレンジフードであって、整流板４は、第１部分５と、第２部分６とを含み、ヒンジ部７は、第１部分５と前記第２部分６とを接続し、整流板４は、ヒンジ部７により折りたたみ可能であるという構成を有する。これにより、お手入れ時に整流板４を小さくすることができるため、整流板４をシンク内や食器洗い器等に入れて容易に掃除することができるので、お手入れしやすいレンジフードを提供することができる。【選択図】図２
2019135419.tif 000002
【特許請求の範囲】
【請求項１】
汚染された空気を吸込む吸込口を有するフード本体と、
前記フード本体の内部に設けられ、前記吸込口から吸込まれた空気を排気する排気装置と、
前記フード本体に取り付けられる整流板と、を備えたレンジフードであって、
前記整流板は、第１部分と、第２部分と、ヒンジ部と、を含み、
前記ヒンジ部は、前記第１部分と前記第２部分とを接続し、
前記整流板は、前記ヒンジ部により折りたたみ可能であることを特徴とするレンジフード。
【請求項２】
前記整流板は、前記第１部分と前記第２部分とが対向するように折りたたまれ、
前記整流板は、前記第１部分と前記第２部分とが略一平面となるように開かれた状態で前記フード本体に取り付けられることを特徴とする請求項１に記載のレンジフード。
【請求項３】
前記整流板が折りたたまれた状態において、前記第１部分と前記第２部分で仕切られる領域は上下左右に開口を有することを特徴とする請求項１または２に記載のレンジフード。
【請求項４】
前記整流板が開かれた状態において、前記第１部分と前記第２部分とが密着することを特徴とする請求項１〜３のいずれか１項に記載のレンジフード。
【請求項５】
前記整流板は、係合部と受け部とを備え、
前記係合部は、前記第１部分もしくは前記第２部分の少なくとも一方に設けられ、前記第１部分と前記第２部分とを接続し、
前記受け部は、前記第１部分もしくは前記第２部分において前記係合部に対応する位置に設けられ、
前記係合部は、前記整流板が開かれた状態において前記受け部と係合し、前記整流板を開いた状態に維持することを特徴とする請求項１〜４のいずれか１項に記載のレンジフード。
【請求項６】
前記第１部分は第１磁石部材を含み、
前記第２部分は第２磁石部材を含み、
前記整流板が開かれた状態において、前記整流板を開いた状態を維持するよう前記第１磁石部材と前記第２磁石部材とが磁力により接続されることを特徴とする請求項１〜５のいずれか１項に記載のレンジフード。
【請求項７】
前記ヒンジ部は、前記第１部分と前記第２部分を着脱可能に接続することを特徴とする請求項１〜６のいずれか１項に記載のレンジフード。
【請求項８】
前記整流板は、前記吸込口と対向する上面部を含み、
前記整流板は、前記上面部が内側になるように折りたたまれることを特徴とする請求項１〜７のいずれか１項に記載のレンジフード。
【請求項９】
前記フード本体は、前記整流板を支持する支持部を備え、
前記整流板は、前記支持部に係合する固定部を備え、
前記整流板は、前記支持部と前記固定部とが係合することで前記フード本体に支持され、
前記第１部分において、前記ヒンジ部の一部が設けられる辺を第１接続辺、前記第１接続辺と対向する辺を第１外周辺とし、
前記第２部分において、前記ヒンジ部の一部が設けられる辺を第２接続辺、前記第２接続辺と対向する辺を第２外周辺として、
前記固定部は、前記第１外周辺近傍および前記第２外周辺近傍に設けられ、前記第１接続辺近傍および前記第２接続辺近傍には設けられないことを特徴とする請求項１〜８のいずれか１項に記載のレンジフード。
【発明の詳細な説明】
【技術分野】
【０００１】
本発明は、ガスコンロ、電磁調理器等の厨房器具の上方に設けられ、調理時に発生する煙や熱気等を捕集して屋外に排出するレンジフードの整流板構成に関するものである。
【背景技術】
【０００２】
従来、レンジフードの油煙捕集性能向上のためにフード部下方に整流板が取り付けられており、整流板を分割することにより排気捕集率を向上し、さらに整流板の洗浄が行いやすくなるレンジフードが知られている。以下、そのレンジフードについて図７を参照しながら説明する。
【０００３】
図７に示すように、第１コンロ１１１と第２コンロ１１２の上に取り付けられ、第１コンロ１１１及び第２コンロ１１２上に開口された開口部に整流板を有するフード部１０３と、上部に吸引手段を有する浅型レンジフードにおいて、整流板は第１整流板１４１と第２整流板１４２の２つの整流板を有すること、第１整流板１４１と第２整流板１４２の間に隙間Ｘ１が形成されていることにより、排気捕集率を向上させることができる。
【先行技術文献】
【特許文献】
【０００４】
【特許文献１】特開２０１２−２０７８７６号公報
【発明の概要】
【発明が解決しようとする課題】
【０００５】
このような従来のレンジフードにおいては、整流板を分割する構成となっていたので使用者がお手入れする部品の点数が増えることによりお手入れが煩雑になり、またレンジフード本体側に凹凸形状となる整流板取り付け構造が増加することにより、デザイン性が低下すると共に、お手入れがしにくくなるという課題を有していた。
【０００６】
そこで本発明は、上記従来の課題を解決するものであり、整流板周辺のお手入れ性を向上させたレンジフードを提供することを目的とする。
【課題を解決するための手段】
【０００７】
そして、この目的を達成するために、本発明に係るレンジフードは、汚染された空気を吸込む吸込口を有する本体と、前記フード本体の内部に設けられ、前記吸込口から吸込まれた空気を排気する排気装置と、前記フード本体に取り付けられる整流板とを備えたレンジフードであって、前記整流板は、第１部分と、第２部分と、ヒンジ部と、を含み、前記ヒンジ部は、前記第１部分と前記第２部分とを接続し、前記整流板は、前記ヒンジ部により折りたたみ可能であることを特徴としたものであり、これにより所期の目的を達成するものである。
【発明の効果】
【０００８】
本発明によれば、お手入れ時に整流板を小さくすることが可能となり、整流板をシンク内や食器洗い器等に入れて容易に掃除することができるので、デザイン性が高く、お手入れしやすいレンジフードを提供することができる。
【図面の簡単な説明】
【０００９】
【図１】本発明の実施の形態１のレンジフードの整流板を取り付けた状態の斜視図
【図２】同レンジフードの整流板を開いた状態の斜視図
【図３】同レンジフードの整流板を折り畳んだ状態の斜視図
【図４】（ａ）同レンジフードの整流板の係合部を示す正面図（ｂ）同斜視図
【図５】（ａ）同レンジフードの整流板の磁石部材を示す正面図（ｂ）同拡大図
【図６】同レンジフードの整流板のヒンジ部を取り外した状態を示す斜視図
【図７】従来のレンジフードを下方から見上げた概念図
【発明を実施するための形態】
【００１０】
本発明に係るレンジフードは、汚染された空気を吸込む吸込口を有するフード本体と、前記フード本体の内部に設けられ、前記吸込口から吸込まれた空気を排気する排気装置と、前記フード本体に取り付けられる整流板とを備えたレンジフードであって、前記整流板は、第１部分と、第２部分と、ヒンジ部と、を含み、前記ヒンジ部は、前記第１部分と前記第２部分とを接続し、前記整流板は、前記ヒンジ部により折りたたみ可能であるという構成を有する。また、前記整流板は、前記第１部分と前記第２部分とが対向するように折りたたまれ、前記整流板は、前記第１部分と前記第２部分とが略一平面となるように開かれた状態で前記フード本体に取り付けられるという構成としてもよい。これらにより、お手入れ時に整流板を小さくすることが可能となり、整流板をシンク内や食器洗い器等に入れて容易に掃除することができるので、お手入れしやすいレンジフードを提供することができるという効果を奏する。
【００１１】
また、前記整流板が折りたたまれた状態において、前記第１部分と前記第２部分で仕切られる領域は上下左右に開口を有する構成にしてもよい。これにより、板同士の間の上下左右方向に空間を設けたことで食器洗い器等に入れて掃除する際に、水や洗剤が進入しやすくなり、洗浄しやすくすることができるので、お手入れしやすいレンジフードを提供することができるという効果を奏する。
【００１２】
また、前記整流板が開かれフード本体に取り付いた状態において、前記第１部分と前記第２部分とが密着するという構成にしてもよい。これにより、複数枚の整流板同士が隙間のない構成とすることで、煙を整流板同士の間から吸うことを抑制し、整流板全体の外周部分から広範囲の煙を吸うことができるので、煙の吸い込み性能の良いレンジフードを提供することができるという効果を奏する。
【００１３】
また、前記整流板は、係合部と受け部とを備え、前記係合部は、前記第１部分もしくは前記第２部分の少なくとも一方に設けられ、前記第１部分と前記第２部分とを接続し、前記受け部は、前記第１部分もしくは前記第２部分において前記係合部に対応する位置に設けられ、前記係合部は、前記整流板が開かれた状態において前記受け部と係合し、前記整流板を開いた状態に維持するという構成にしてもよい。これにより、整流板をフードに取り付けた状態で、整流板が自重により閉じることを抑制し、複数枚の整流板下面が同一平面にすることができるので、デザイン性が高いレンジフードを提供することができるという効果を奏する。
【００１４】
また、前記第１部分は第１磁石部材を含み、前記第２部分は第２磁石部材を含み、前記整流板が開かれた状態において、前記整流板を開いた状態を維持するよう前記第１磁石部材と前記第２磁石部材とが磁力により接続されるという構成にしてもよい。これにより、整流板取り付け状態で自重により閉じることを抑制し、複数枚の整流板下面が同一平面にすることができるので、デザイン性が高いレンジフードを提供することができるという効果を奏する。
【００１５】
また、前記ヒンジ部は、前記第１部分と前記第２部分を着脱可能に接続するという構成にしてもよい。これにより、複数枚の板の接続部分を取り外しする構成にすることでヒンジ部を容易に掃除することができるので、お手入れしやすいレンジフードを提供することができるという効果を奏する。
【００１６】
また、前記整流板は、前記吸込口と対向する上面部を含み、前記整流板は、前記上面部が内側になるように折りたたまれるという構成にしてもよい。これにより、吸込口と対向する上面部が内側になるように整流板が折りたたまれることとなるため、使用者が掃除等の際に下面側から整流板を拭いた場合でも、整流板に対して平面の状態を維持する方向に力が加えられることになるため、整流板が外れにくくなるという効果を奏する。
【００１７】
また、前記フード本体は、前記整流板を支持する支持部を備え、前記整流板は、前記支持部に係合する固定部を備え、前記整流板は、前記支持部と前記固定部とが係合することで前記フード本体に支持され、前記第１部分において、前記ヒンジ部の一部が設けられる辺を第１接続辺、前記第１接続辺と対向する辺を第１外周辺とし、前記第２部分において、前記ヒンジ部の一部が設けられる辺を第２接続辺、前記第２接続辺と対向する辺を第２外周辺として、前記固定部は、前記第１外周辺近傍および前記第２外周辺近傍に設けられ、前記第１接続辺近傍および前記第２接続辺近傍には設けられないという構成にしてもよい。これにより、固定部は、第１外周辺および第２外周辺に設けられ、第１接続辺および第２接続辺には設けられないので、整流板の支持部の数を最小限にすることでフードの凹凸を減らすことができ、デザイン性が高く、お手入れ性が向上するという効果を奏する。
【００１８】
以下、本発明の実施の形態について図面を参照しながら説明する。
【００１９】
（実施の形態１）
図１および図２に示すように、本発明に係るレンジフードは、例えば調理器具の上方に設けられ、フード本体１と、排気装置３と、整流板４と、を備えている。
【００２０】
フード本体１は、汚染された空気を吸込む吸込口２を有する。吸込口２は、例えばフード本体１の下面に設けられる。なお、フード本体１にレンジフードの運転を操作する操作部等を設けてもよい。
【００２１】
排気装置３は、例えば遠心送風機を含み、フード本体１の内部に設けられ、吸込口２から吸込まれた空気を排気する。
【００２２】
整流板４は、吸込口２を覆うようにフード本体１の下面に取り付けられる。
【００２３】
排気装置３の運転により、整流板４とフード本体１の下面との間から吸い込まれた空気は、吸込口２からフード本体１の内部に流入し、例えば排気口（図示せず）から屋外に排気される。すなわち、整流板４は風路の一部を構成する。
【００２４】
また、整流板４は、第１部分５と、第２部分６と、ヒンジ部７とを含む。整流板４は、例えば矩形の板体で、第１部分５と第２部分６とが組み合わされて１枚の板となる。
【００２５】
第１部分５および第２部分６は、例えば矩形の板体で、周囲が壁状になっている。
【００２６】
第１部分５は、第１接続辺１５と第１外周辺１６とを含む。
【００２７】
第２部分６は、第２接続辺１７と第２外周辺１８とを含む。
【００２８】
第１外周辺１６および第２外周辺１８は、整流板４をフード本体１に取り付けた状態すなわち整流板４を開いた状態において、第１部分５と第２部分６の外側に位置する辺である。例えば、整流板４を開いた状態の短手方向の辺が第１外周辺１６および第２外周辺１８となる。
【００２９】
第１接続辺および第２接続辺は、整流板４を開いた状態において隣り合う辺である。
【００３０】
整流板４は、支持部１３および固定部１４によりフード本体１に取り付けられる。具体的には、支持部１３はフード本体１の下面に設けられ、固定部１４、整流板の上面部１９に設けられる。
【００３１】
支持部１３と固定部１４とが係合することで整流板４はフード本体１に着脱可能に固定される。
【００３２】
ヒンジ部７は、第１部分５と第２部分６とを接続し、整流板４は、ヒンジ部７により折りたたみ可能である。すなわち、ヒンジ部７は蝶番の役割を果たすものである。
【００３３】
また、整流板４は、第１部分５と第２部分６とが対向するように折りたたむことができるとともに、フード本体１に取り付ける際は、第１部分５と第２部分６とが略一平面となるように開かれた状態で取り付けることができる。この様な構成によれば、図３に示すように整流板４を折りたたむことで、お手入れ時に整流板４を小さくすることが可能となり、キッチンのシンク内や食器洗い器等に入れて容易に掃除することができるので、手入れしやすいレンジフードを提供することができる。
【００３４】
また、図３に示すように、整流板４が折りたたまれた状態において、第１部分５と第２部分６で仕切られる領域は上下左右に開口８を有する構成としてもよい。すなわち、整流板４を折りたたんだ状態において外周部となる第１部分５および第２部分６のそれぞれの４辺が、互いに離間していてもよい。またこのとき外周部となる辺は、第１接続辺１５、第２接続辺１７、第１外周辺１６、第２外周辺１８を含んでいてもよい。この様な構成によれば、板同士の間（第１部分５と第２部分６との間）の上下左右方向に空間を設けたことで食器洗い器等に入れて掃除する際に、水や洗剤が進入しやすくなり、洗浄しやすくすることができるので、お手入れしやすいレンジフードを提供することができる。
【００３５】
また、図１に示すように、整流板４が開かれた状態において、第１部分５と第２部分６は密着するという構成としてもよい。すなわち、整流板４が開かれた状態において、第１接続辺１５と第２接続辺１７とが密着しているという構成としてもよい。この構成によれば、整流板４の複数枚の部分同士の間に隙間がなくなり、煙を吸込口２直下の整流板４同士の間から吸うことなく、整流板４全体の外周部分から広範囲の煙を吸うことができるので、煙の吸い込み性能が良く、また吸込口２から垂れる油を受けることが出来るため、お手入れ性の良いレンジフードを提供することができる。
【００３６】
なお、ここでいう「密着」とは、第１部分５と第２部分６の接続部分からほとんど空気が流入せず、整流板４全体の外周部分から主に煙が吸い込まれる程度に密着していればよい。
【００３７】
また、図４に示すように、整流板４は、係合部９と受け部１０とを備えていてもよい。
【００３８】
係合部９は、第１部分５もしくは第２部分６の少なくとも一方に設けられ、第１部分５と第２部分６とを接続する。
【００３９】
受け部１０は、第１部分５もしくは第２部分６において係合部９に対応する位置に設けられる。
【００４０】
係合部９は、整流板４が開かれた状態において受け部１０と係合し、整流板４を開いた状態に維持する。
【００４１】
この様な構成によれば、整流板４をフード本体１に取り付けた際に、自重により整流板４が閉じようとする力が働くのに対し、係合部９と受け部１０の部分で固定される為、複数の部分からなる整流板４の下面を略一平面で維持することができるので、デザイン性が高いレンジフードを提供することができる。
【００４２】
なお、係合部９および受け部１０の形状は図示した形状に限られず、整流板４を開いた状態に維持できるような形状であればよい。
【００４３】
また、図５に示すように、第１部分５は第１磁石部材１１を含み、第２部分６は第２磁石部材１２を備えていてもよい。このとき、整流板４が開かれた状態において、整流板４を開いた状態を維持するよう第１磁石部材１１と第２磁石部材１２とが磁力により接続される。第１磁石部材１１と第２磁石部材１２は、整流板４を開いた状態で磁力により接続されることが可能な対応する位置に設けられる。この様な構成によれば、整流板４取り付け状態で自重により閉じることを抑制し、複数の部分からなる整流板４下面が略一平面にすることができるので、デザイン性が高いレンジフードを提供することができる。
【００４４】
なお、本実施の形態では、第１磁石部材１１及び第２磁石部材１２を用いる構成としたが、１個の磁石部材と磁性を有する金属を用いて接続する構成としても良い。
【００４５】
また、磁石部材による固定と係合部９、受け部１０による固定を組み合わせて固定する構成としても良い。
【００４６】
また、図６に示すように、ヒンジ部７は、第１部分５と第２部分６を着脱可能に接続する構成としてもよい。この構成によれば、複数枚の板の接続部分を取り外しする構成にすることでヒンジ部７に溜まった汚れを容易に掃除することができるので、お手入れしやすいレンジフードを提供することができる。
【００４７】
また、図２及び図６に示すように、フード本体１は、整流板４を支持する支持部１３を備え、整流板４は、支持部１３に係合する固定部１４を備え、整流板４は、支持部１３と固定部１４とが係合することでフード本体１に支持され、第１部分５において、ヒンジ部７の一部が設けられる辺を第１接続辺１５、第１接続辺と対向する辺を第１外周辺１６とし、第２部分６において、ヒンジ部の一部が設けられる辺を第２接続辺１７、第２接続辺と対向する辺を第２外周辺１８として、固定部１４は、第１外周辺１６近傍および第２外周辺１８近傍に設けられ、第１接続辺１５近傍および第２接続辺１７近傍には設けられないという構成としてもよい。すなわち、ヒンジ部７により第１接続辺１５と第２接続辺１７が接続されることで、第１部分５と第２部分６とが接続される構成としてもよい。例えば、２枚の小さい整流板を並列して使う場合には、それぞれの板の四隅に固定部１４が合計で８つ必要となるところ、この構成によれば、整流板４を１枚の板として使用することができるので、第１部分５に２箇所、第２部分６に２箇所の合計で４つの固定部１４で整流板４をフード本体１に固定できる。すなわち、この構成によれば、整流板４の固定部１４の数を最小限とすることで、対応するフード本体１の支持部１３の数も最小限となり、フード本体１の凹凸を減らすことができ、デザイン性およびお手入れ性を向上させることができる。
【００４８】
なお、整流板４は、吸込口２と対向する上面部１９を含み、整流板４は、上面部１９が内側になるように折りたたまれるという構成であってもよい。すなわち、第１部分５および第２部分６はそれぞれ上面部１９を含み、上面部１９同士が対向するように折りたたまれるという構成であってもよい。このとき、整流板４における上面部１９の反対側の面で、整流板４をフード本体１に取付けた状態において下方に設けられた例えば調理機器と対向する面を下面部（図示せず）とする。この構成によれば、吸込口２と対向する上面部１９が内側になるように整流板４が折りたたまれることとなるため、使用者が掃除等の際に整流板４を下面部側から拭いた場合でも、整流板４に対して平面の状態を維持する方向に力が加えられることになるため、整流板４が意図せずに外れる事を防止するという効果を奏する。
【００４９】
また、本実施の形態では整流板４の構成を第１部分５と、第２部分６の２枚とする構成をあげたが、３枚の構成にする等さらに分割するような構成としても良い。これにより、お手入れ時に整流板４をさらに小さくすることができるため、お手入れ性を向上させることができる。
【００５０】
なお、整流板４はフード本体１への取り付けの際に略一平面となるように開くとしたが、ここでいう「略一平面」とは、１枚の整流板として機能できる程度に面一となっていれば足りるものとする。
【００５１】
また、整流板４は、例えば複数枚の板の下面が段差になるように取り付ける構造としても良い。これにより、整流板４の下方にある部分にあたった煙のうち吸込みきれなかった煙を、整流板４の上方にある部分で捕集できることとなるので、より効率的に吸込口２から空気を吸い込むことができる。
【産業上の利用可能性】
【００５２】
本発明に係るレンジフードは、整流板及びフード本体のお手入れが容易にできることを可能とするものであるので、厨房に設けている排気装置等として有用である。
【符号の説明】
【００５３】
１    フード本体
２    吸込口
３    排気装置
４    整流板
５    第１部分
６    第２部分
７    ヒンジ部
８    開口
９    係合部
１０    受け部
１１    第１磁石部材
１２    第２磁石部材
１３    支持部
１４    固定部
１５    第１接続辺
１６    第１外周辺
１７    第２接続辺
１８    第２外周辺
１９    上面部
【図１】
2019135419.tif 000003
【図２】
2019135419.tif 000004
【図３】
2019135419.tif 000005
【図４】
2019135419.tif 000006
【図５】
2019135419.tif 000007
【図６】
2019135419.tif 000008
【図７】
2019135419.tif 000009